(57)【要約】      （修正有）【課題】大量生産出来ない家具又は仏壇内部の電気配線を安全且簡単に利用出来、価格も比較的安価に提供する。【解決手段】家具又は仏壇等の背面あるいは側面等１１に設けた貫通穴部１２の外部側から内部側へ順次、ビニール電線部１に接続した接続端子８を固定片４に突き当たるまで差し込んだ後、該貫通穴１２の内側から固定用雌ねじ部７を、該固定用雌ねじ部７内をねじ込み式固定部３に嵌合せしめながら該固定用雌ねじ部７を該貫通穴１２に突き当たるまで締め込み、該貫通穴１２の両面を固定用雌ねじ部７と固定片４で圧接挟持され、あらかじめ用意されていた家具又は仏壇等内の電源を利用した照明具あるいは換気装置等側のビニール電線１０に接続し、また接続部２に保護された貫通穴部１２の外部側ビニール電線１３は室内用コンセント等１５に直結されるアダプター又は差込プラグ１４等に接続される。【選択図】図１
2011060744.tif 000002
【特許請求の範囲】
【請求項１】
家具又は仏壇等の背面あるいは側面等１１に設けた貫通穴１２の外部側から内部側へ順次、ビニール電線部１に接続した接続端子８、該ビニール電線部１と一体に成形されたビニール電線保護凸部５、ねじ込み式固定部３へと固定片４に突き当たるまで差し込んだ後、該貫通穴１２の内側から固定用雌ねじ部７内を、該ビニール電線部１に接続した接続端子８を貫通させてから、該固定用雌ねじ部７内をねじ込み式固定部３に嵌合せしめながら貫通穴１２に突き当たるまで締め込んだときに、該貫通穴１２の両面を固定用雌ねじ部７と固定片４で圧接挟持される。あらかじめ用意されていた家具又は仏壇等内の電源を利用した照明具あるいは換気装置等側のビニール電線１０に接続された接続端子９と接続端子８とは着脱自在に接続出来る。他端側のビニール電線損傷防止部２に保護された貫通穴１２の外部側ビニール電線１３は室内用コンセント等１５に直結されるアダプター又は差込プラグ１４等を使用することを特徴とする、貫通穴を介して施工されるビニール電線と一体に成形される損傷防止部を設けた着脱自在に装着出来る配線具。
【発明の詳細な説明】
【技術分野】
【０００１】  本発明は、家具又は仏壇等の背面あるいは側面等に設けた貫通穴を介して、該家具又は仏壇等内の電源を利用した照明具あるいは換気装置側の接続端子と着脱自在に接続し得る接続端子に接続されたビニール電線部と一体に成形されるビニール電線損傷防止部を設けた、着脱自在に装着出来る配線具。
【背景技術】
【０００２】  大量生産される特定の機器又は器具等、例えばコード付コンセントあるいはアダプター等々に専用に使用されるビニール電線部と一体に成形される損傷防止部及び及び取り付け部を有した形式。
【発明の概要】
【発明が解決しようとする課題】
【０００３】  図１に示したように、家具又は仏壇等の背面あるいは側面等に設けた貫通穴１２を介して、該家具又は仏壇等内の電源を利用した照明具あるいは換気装置等側の接続端子９と着脱自在に装着し得る接続端子部８に接続されたビニール電線部１と一体に成形されるビニール電線損傷防止部２及び固定用雌ねじ部７を介して、該貫通穴１２に着脱自在に装着出来るねじ込み式固定部３及び固定片４を有したことを特徴とする配線具に係るもので、大量生産出来ない家具又は仏壇内部の電気配線を安全且簡単に利用出来、価格も比較的安価に提供することを目的とする。
【課題を解決するための手段】
【０００４】  図１に示したように、貫通穴１２の外部側から内部側へと順次、ビニール電線部部１に接続した接続端子８、該ビニール電線部１と一体に成形されたビニール電線保護凸部５、ねじ込み式固定部３へと固定片４に突き当たるまで差し込んだ後、該貫通穴１２の内側から固定用雌ねじ部７内を、該ビニール電線部１に接続した該接続端子８を貫通させてから、該固定用雌ねじ部７内をねじ込み式固定部３に嵌合せしめながら貫通穴１２に突き当たるまで締め込んだときに該貫通穴１２の両面を、固定用雌ねじ部７と固定片４で圧接挟持される。あらかじめ用意されていた家具又は仏壇内の電源を利用した照明具あるいは換気装置等側のビニール電線１０に接続された接続端子部９と接続端子８とは着脱自在に接続出来る。貫通穴１２の外部側ビニール電線１３はビニール電線損傷防止部２に保護されているのでアダプター又は差込みプラグ１４を室内用コンセント等１５に直結するだけで良い。
ねじ込み式固定部３と固定片４間に設けられた凹み部６は固定ずれを防止するために、ビニール電線１と一体に成形されるビニール電線保護凸部５は貫通部１２の内部側ビニール電線１の損傷防止を目的とするもので、貫通穴１２の両端部にビニール電線１の損傷防止部を設けている。
【発明の効果】
【０００５】  以上のように本発明は、接続端子８は家具又は仏壇等内の電源を利用した照明具あるいは換気装置等側のビニール電線１０に接続された接続端子９とは着脱自在に接続出来と共に、ビニール電線部１と一体に成形されたビニール電線損傷防止部２及び着脱自在に装着出来る構造を有しているために、貫通穴１２の外側ビニール電線１３はビニール電線損傷防止部２に保護されながら室内用コンセント等１５に直結されるアダプター又は差込プラグ１４を有した電気配線具で、構造が簡単且安全便利に利用出来るものである。又接続端子８に接続されるビニール電線部１長さを１０〜２０ｃｍ位に設定しておくと、家具又は仏壇等内に電気配線の障害となる部品等があった場合でも、接続端子９との接続は、手さぐり状態でも着脱操作が容易になる等、又ビニール電線１と一体に成形されるビニール電線保護凸部５を設けたことによって、貫通穴１２の両端部にビニール電線１の損傷防止部を有し得たもので、簡単且安全に、大量生産出来ない不特定多数の家具又は仏壇内部の電気配線器具を、比較的安価に提供し得る等その有用性をより増大せしめ得る有用な発明である。
【図面の簡単な説明】
【０００６】
【図１】本発明の実施例を示す、一部破断分解図
【図２】本発明の実施例を示す、一部破断側面図
【図３】本発明の実施例を示す、一部破断分解斜視図
【図４】本発明の実施例、変形例のねじ込み式固定部１７部分の分解斜視図
【発明を実施するための形態】
【０００７】  以下、本発明の実施例の形態を図１〜図３に基づいて説明する。
【０００８】  図１又は図３において、貫通穴１２の外部側から内部側へと順次、ビニール電線部１に接続した接続端子８、該ビニール電線部１と一体に成形されたビニール電線保護凸部５、ねじ込み式固定部３へと固定片４が突き当たるまで差し込む。
【０００９】  貫通穴１２の内部側で、固定用雌ねじ部７内を接続端子８を貫通させてから、ねじ込み式固定部３に嵌合せしめながら貫通穴１２に突き当たるまで締めこんだときに、該貫通穴１２の両面を圧接挟持せしめる様に固定する。
【００１０】  あらかじめ用意された、家具又は仏壇等内の電源を利用した照明具あるいは換気装置等側のビニール電線１０に接続された接続端子９と接続端子８を接続する。
【００１１】  貫通穴１２の外部側ビニール電線１の他端側ビニール電線１３はビニール電線損傷防止部２に保護されているので室内用コンセント１５に直結されるアダプター又は差込プラグ１４を室内用コンセント等１５に直結するだけで良い。必要な場合、ビニール電線１３の適切な場所に中間スイッチ１６を設けてその有用性を補増せしめ得るものである。
【産業上の利用可能性】
【００１２】  図４は、ビニール電線１と一体に成形されるねじ込み式固定部３の変形例のねじ込み式固定部１７を示したもので、ほぼ円筒状の外周面に設けた複数個の凸部１８、１８、１８、１８‥‥上を、固定用雌ねじ部７をねじ込むように嵌合せしめ得ることによっても所期する効果を奏し得る等各種変形利用出来ることを示した基本特許とも云える有用な発明であり、着脱自在に接続出来る接続端子８、９あるいは固定用雌ねじ部７あるいはビニール電線損傷防止部２等も各種変形利用して、二芯コードは勿論単心あるいは多芯コード等各種産業上の利用分野にも大きく拡大利用せしめ得るものである。
【符号の説明】
【００１３】  １  ビニール電線部
２  ビニール電線損傷防止部
３  ねじ込み式固定部
４  固定片
５  ビニール電線保護凸部
６  凹み部
７  固定用雌ねじ部
８  接続端子
９  接続端子
１０  家具又は仏壇等内の電源を利用した照明具あるいは換気装置等側のビニール電線
１１  家具又は仏壇等の背面あるいは側面等
１２  貫通穴
１３  電源側ビニール電線
１４  アダプター又は差込プラグ
１５  室内用コンセント等
１６  中間スイッチ
１７  変形例のねじ込み式固定部
１８  凸部
【図１】
2011060744.tif 000003
【図２】
2011060744.tif 000004
【図３】
2011060744.tif 000005
【図４】
2011060744.tif 000006